(57)【要約】【課題】  土嚢に袋詰めする資材の一定量を計量できる計量スコップを提供する。【解決手段】  底板２７と底板の両側辺に設けられた側板２４と底板の後辺に設けられた背板２５とからなるショベル部３０と、柄１２と、側板２４および背板２５の上端で囲まれた蓋２１とによって構成される計量スコップ１０において、蓋２１はその表面に複数の孔２２を有すると共に、底板２７の前辺２９との間に開口２３を形成する。作業者は、計量部２０を資材山７０から取り出して、計量部２０を揺すって、計量部２０の上にはみ出した資材をふるい落とすことによって一定量の資材を得ることができる。この計量スコップ１０を用いれば、資材をいちいち計量する事無く、常に同じ大きさの土嚢袋７１を作ることができ、土嚢袋４０を敷設する時間が大幅に短縮され、経済的効果が大きい。【選択図】        図１
2008081954.tif 000002
【特許請求の範囲】
【請求項１】
底板と前記底板の両側辺に設けられた側板と前記底板の後辺に設けられた背板とからなるショベル部と、前記ショベル部の背板に取り付けられた柄とからなるスコップにおいて、
前記両側板および背板の上端で囲まれた蓋を備え、
前記蓋はその表面に複数の孔を有すると共に、前記底板の前辺との間に開口を形成することを特徴とする計量スコップ。
【請求項２】
前記蓋は、両側板に設けられた摺動溝に挿入されることを特徴とする請求項１に記載の計量スコップ。
【請求項３】
前記蓋は、両側面にＬ字部を有し、両側板および背板を被うように構成されることを特徴とする請求項１に記載の計量スコップ。
【請求項４】
前記蓋は、ネジで前記ショベル部に固定されることを特徴とする請求項２または３に記載の計量スコップ。
【請求項５】
前記計量スコップの柄の中央部分に支持部を備えたことを特徴とする請求項１に記載の計量スコップ。
【請求項６】
前記支持部は、筒部、可動部、把持部を備えたことを特徴とする請求項５に記載の計量スコップ。
【発明の詳細な説明】
【技術分野】
【０００１】
本願発明は、地盤の補強等に用いられる土嚢袋を用いた土嚢袋工法において、土嚢袋に土あるいは土に類するもの（以下、資材という）を袋詰めするときに資材を計量するために使用する計量スコップに関する。
【背景技術】
【０００２】
資材を袋詰めにした土嚢袋は、近年、災害復旧工事、トンネル杭口災害復旧工事、急峻地形補強工事、水辺盛土工事、構造物の裏込め工事、構造物の基礎工事、軟弱地盤対策工事、液状化対策工事等に用いられている。このような土嚢袋に入る資材（砂、砂利、ガラス紛他の粒状材料）は、工場や現場で、計量器具やスコップ等を用いて袋詰めされる。
【０００３】
資材を土嚢袋に袋詰めするときに、土嚢袋が強度を発揮する為に、袋の幅と厚みの関係が、幅5：厚さ1（幅40ｃｍ角の土嚢袋なら、厚み８ｃｍ）程度の大きさになるよう、一定量の資材を投入しなければならない。従来の方法としては、資材を工場等で、定量投入可能な機械等を使い土嚢袋に入れて、これを現場に搬送する方法と、現場にて、計量器具を使い資材の重さを計った後、一つ一つの袋に資材を投入する方法が用いられている。前者の方法では、輸送の際、荷台に土嚢袋を重ねて積み込むため、輸送中の振動や加重により、荷台の下に置かれた土嚢袋と、荷台の上の方に詰まれた袋で、袋の伸びによる大きさの違いがでたり、積み下ろしの際土嚢袋が破けるなどの問題が起こり、品質管理の障害となる。また、土嚢袋に資材が投入され重い状態の為、積み下ろしや、土嚢袋を施工する際、重労働となる。また、現場で資材を投入する場合は、定量にて袋に資材を投入する為、計量しながらの投入作業となる為、時間がかかる。また、資材を投入後施工する際、重たい土嚢袋を使い施工する為、重労働となる。
【０００４】
また、スコップを用いて資材を土嚢袋に袋詰めするために、作業者は半かがみの姿勢を長く続けることになるため、腰を悪くする作業者が多かった。
【０００５】
上記の資材を一定量入れるという問題点を解決するための適切な従来技術は見つからないが、例えば、実用新案登録第3081561号（特許文献１）に示すような蓋付き小手シャベルを用いることもできる。図柄１２は、第１の従来例の計量スコップを示す図である。図１２は、特許文献１に開示されたシャベルであり本願発明の目的とは異なるが、構造的に類似する部分もあるので、この図を用いて従来技術について説明する。図１２におけるスコップ６１は、前方の開口部６７を除いた底部６６の周縁に側壁板６４が設けられた角型の掬い部６２を有し、少なくとも柄部６３の取付け側における側壁板の上端部に掬い部の内側に向かう庇状部６５が設けられ、また、開口部７７側の側壁板の両端部が傾斜状に形成されている。このようなスコップ６１を用いて、資材を掬うと資材は掬い部６２である程度均一化された量を計測できる。しかしながら、資材は掬い部６２の中央部の凹部で形成された開口部にはみ出て、その量は資材をスコップ６１で掬う毎に異なるので正確に一定量を計量することには限界があった。
【０００６】
一方、資材を土嚢袋に袋詰めする作業においては、作業者が半かがみの姿勢を長く続けるために、腰を悪くする作業者が多かった。この問題を解決する手段として、例えば、実用新案登録第3058588号（特許文献２）に示すようなに示すようなスコップ補助具を用いることもできる。図１３は、第２の従来例の計量スコップ補助具を示す図である。図１３は、特許文献２に開示されたスコップ補助具であり、このスコップ補助具は、スコップに着いている取手とは別に補助用の取手を柄の付け根に連結して、土砂などをすくって移動したりする際に、補助具を用いてシャベル部に入っている土砂などの荷重を楽な姿勢で支持できるようになっている。図１３におけるスコップ補助具は、金属製の帯状板からなる下向きコ字状部７５と上向きコ字状部７６とを、それぞれのコ字状部同士を背中合わせに重ねて鉛直方向の軸８４を中心に回動可能に連結し、上向きコ字状部７６の上端に握り７７を固定してあり、下向きコ字状部７５の両下端をスコップの柄部７２の下端側に水平軸を中心に回動可能に連結できる構造となっている。また、前記の上向きコ字状部７６側に磁石Ｍを固定し、スコップの柄部７２に磁性体８３を固定して、補助具７８が柄部７２に吸着されて一体化されるように構成してある。したがって、このスコップ補助具においては、畑を耕すような場合に、中腰にならずに、普通の姿勢で作業でき、例えば、下向きコ字状部と上向きコ字状部のコ字状部同士を背中合わせに重ねて鉛直方向の軸を中心に回動可能に連結し、補助具を介してシャベル部の荷重を支持した状態で、他方の手でシャベル部を前記鉛直方向軸を中心にして回転させ、土砂などを反転落下できる。また、スコップ側と補助具側の両方を押すことができるので、シャベル部を土中に押し込んで掘る動作もより楽に行なえる。
【特許文献１】特開昭５８―１６２１５
【特許文献２】特公昭４７−４２３０１
【発明の開示】
【発明が解決しようとする課題】
【０００７】
上記の特許文献１の従来技術では、このスコップで資材を掬うことはできるが、一定量の資材を掬うことができないという欠点があった。
【０００８】
上記の特許文献２の従来技術では、シャベル部７１で掬った資材を握り７７で持ち上げる構造であるが、握り７７を固定しておいて柄部７２の先端７３を上下に動かしてシャベル部７１を上下させることを目的にはしていない。
【０００９】
上述の課題を鑑み、本願発明は、土嚢に袋詰めする資材の一定量を計量できる計量スコップを提供することを目的とする。
【課題を解決するための手段】
【００１０】
上述の課題を解決するために、請求項１の発明は、底板と底板の両側辺に設けられた側板と底板の後辺に設けられた背板とからなるショベル部と、ショベル部の背板に取り付けられた柄とからなるスコップにおいて、両側板および背板の上端で囲まれる蓋を備え、蓋はその表面に複数の孔を有すると共に、底板の前辺との間に開口を形成することを特徴とする。
【００１１】
請求項２の発明における蓋は、両側板に設けられた摺動溝に挿入されることを特徴とする。
【００１２】
請求項３の発明における蓋は、その後部のネジ孔を介して、ショベル部に固定されることを特徴とする。
【００１３】
請求項４の発明における蓋は、ネジで前記ショベル部に固定されることを特徴とする。
【００１４】
請求項５の発明は、計量スコップの柄の中央部分に支持部を備えたことを特徴とする。
【００１５】
請求項６の発明における支持部は、筒部、可動部、把持部を備えたことを特徴とする。
【発明の効果】
【００１６】
請求項１の発明によれば、両側板および背板の上端で囲まれた蓋を備え、この蓋は表面に複数の孔を有すると共に、底板の前辺との間に開口を形成するので、計量部で資材を掬った後に、複数の孔および開口からはみ出した資材を排出することによって一定量の資材を正確に計量できる。
【００１７】
請求項２の発明によれば、計量スコップの蓋は、両側板に設けられた摺動溝に挿入されるので、容易に取りはずして洗うことができる。
【００１８】
請求項３の発明によれば、計量スコップの蓋は、両側面にＬ字部を有し、両側板および背板を被うように構成されるので、取り付けおよび取り外しが容易である。
【００１９】
請求項４の発明によれば、計量スコップの蓋は、ネジで前記ショベル部に固定されるので、使用中にはずれることがない。
請求項５の発明によれば、計量スコップの柄の中央部分に支持部を備えたことによって、その支持部を持って固定したまま、柄の後部を動かすことによって、計量部分を上下に動かすことができ、作業時に半かがみの体型を取ることを防げるので腰の痛みを防止できる。
【００２０】
請求項６の発明によれば、支持部は、筒部、可動部、把持部を備えているので、支持部を柄から回動自在に動かすことができるので、その支持部を持って固定したまま、計量部を上下に動かすことができ、作業時に半かがみの体型を取ることを防げるので腰の痛みを防止できる。
【発明を実施するための最良の形態】
【００２１】
第１実施形態
以下、本願発明の実施の形態について図面を参照しながら説明する。図１は、本願発明の第１実施形態の計量スコップ１０の計量部２０の構成を示すものである。
【００２２】
図１（Ａ）は、第１実施例の計量部２０の斜視図を示し、図１（Ｂ）は計量部２０の側面図を示す。図１（Ａ）、（Ｂ）に示すように、計量部２０は、ショベル部３０と蓋２１とから構成され、ショベル部３０は、底板２７とその底板２７の両側辺に設けられた側板２４および背板２５とからな。蓋２１はその表面に複数の孔２２を有すると共に、底板２７の前辺２９との間に開口２３を形成する。ここで、孔２２は、後で述べるように、蓋２１が取付けられた計量部２０に、資材が十分入っているかを確認すると同時に、余分な資材を揺すって排出することによって一定量の資材を確保するために設けられた孔であり、その形状は矩形に限らず、円、楕円その他の形状でもよい。
【００２３】
図２は、第１実施例の計量部２０の詳細構成を示す図である。図２（Ａ）は、蓋２１を側板２４の溝２８に挿入する前の状態を示す図である。図２（Ｂ）は、蓋２１を側板２４の溝２８に挿入した後の状態を示す図である。図２（Ｃ）は、蓋２１を側板２４の溝２８に挿入した状態を図２（Ｂ）のＡ−Ａ線で切断したときの端面図である。
【００２４】
図２（Ａ）において、複数の孔２２を有する蓋２１は、側板２４の上部に設けられた溝２８の方向に矢印方向に挿入される。図２（Ｂ）、（Ｃ）に示されるように、側板２４には溝２８が形成され、蓋２１はこの溝２８に挿入される。蓋２１には孔２６が開けられ、その孔２６からネジ等で背板２５に設けられたネジ受け３２にネジ止めし、蓋２１がショベル部３０に合体される。溝２８は、蓋２１は、図２（Ｃ）に示されるように、側板２４の上方に凹状に形成される。
【００２５】
図３は、第２実施例の計量部２０の詳細構成を示す図である。図３（Ａ）は、蓋２１をショベル部３０の上に被せる前の状態を示す図である。図３（Ｂ）は、蓋２１をショベル部３０に被せた後の状態を示す図である。図３（Ｃ）は、蓋２１をショベル部３０に被せた状態を図３（Ｂ）のＢ−Ｂ線で切断したときの端面図である。図３（Ａ）において、複数の孔２２を有する蓋２１は、ショベル部３０の上部に被せられる。図３（Ｂ）に示されるように、蓋２１には孔２６が開けられ、その孔２６からネジ等で背板２５や側板２４に設けられたネジ受け３２にネジ止めされ、蓋２１がショベル部３０に合体される。図３においては、孔２６は４カ所設けられているが、孔２６は４カ所に限定することなく、３カ所または５カ所以上設けても良い。
【００２６】
図４は、計量スコップで資材を計量する様子を概念的に描いた図である。図４（Ａ）は、計量スコップ１０の計量部２０部分を資材中に挿入し、全ての孔２２から、資材がはみ出てくるまで資材を計量部２０に入れ、その後、計量部２０を揺すって計量部２０の上にあふれた資材をふるい落とす。資材がふるい落とされた計量部２０には一定量の資材が得られる。現在通常用いられる計量スコップ１０を用いた土嚢工法によれば、一日あたり、1000袋／3人程度であるが、本願発明の計量スコップ１０を使えば、一日あたり、1500袋／3人以上の作業効率化が見込める。
【００２７】
図５は、本願発明の第１実施形態において、本願発明の計量スコップ１０を用いて資材を土嚢袋に入れる様子を示す図である。図５（Ａ）は、計量スコップを資材山７０に挿入し、計量部２０に資材を入れる様子を示す図である。図５（Ｂ）は、計量スコップを資材山７０から取り出して、計量部２０を揺すって計量部２０の上にはみ出した資材をふるい落とす様子を示す図である。図５（Ｃ）は、計量スコップを土嚢袋７１の開口に近づけて資材を土嚢袋７１に入れる様子を示す図である。
【００２８】
図５（Ａ）に示すように、作業者は計量スコップ１０の柄１２を握った左手を矢印Ｘのように下方向に動かして、計量部２０を資材山７０に挿入する。次に、図５（Ｂ）に示すように、作業者は左手を矢印Ｘのように上方向に動かして、計量スコップを資材山７０から取り出して、計量部２０を揺すって計量部２０の上にはみ出した資材をふるい落とす。次に、次に、図５（Ｃ）に示すように、作業者は左手を矢印Ｘのように下方向に動かして、計量スコップ１０の計量部２０を土嚢袋７１の開口７２に近づけて資材を土嚢袋７１に入れる。このようにして、計量スコップ１０を用いることによって、毎回同じ量の資材が計量部２０に入るので、常に同じ大きさの土嚢袋７１を作ることができる。
【００２９】
第２実施形態
図６は、本願発明の第２実施形態の計量スコップの全体構成を示す図である。図６（Ａ）は、第２実施形態の計量スコップ１０ａの斜視図を示し、図６（Ｂ）は第２実施形態の計量スコップ１０ａの側面図を示す。図６（Ａ）、（Ｂ）に示すように、計量スコップ１０ａは、計量部２０と柄１２と支持部４０とから構成される。計量部２０は、第１実施形態のものと同じであるので、図１と同じ番号を付してその説明を省略する。
【００３０】
図６（Ａ）において、第２実施形態の特徴である支持部４０は、柄１２の中央付近に取り付けられる。支持部４０は、管部４１、可動部４２および把持部４７から構成される。このように構成された計量スコップ１０ａでは、一方の手で支持部４０を支えて、他方の手で柄１２の端を動かすことによって、計量部２０部分を上下に簡単に動かすことができる。
【００３１】
図７は、本願発明の第２実施形態の第１実施例の支持部の詳細側面図である。図７において、支持部４０は、管部４１、可動部４２および把持部４７から構成される。管部４１は柄１２の中央部付近に挿入される。計量部２０に入る資料の重さによって支持部４０の位置は上下に移動してもよい。管部４１を柄１２に止めるには、例えば、ワッシャ４４を介して止めネジ４５を柄１２にねじ込むことによって行われる。可動部４２は側面に開けられた孔を介して固定ネジ４３を管部４１に固定する。その固定ネジ４３を中心にして、可動部４２は回動する。可動部４２には心棒４６を介して把持部４７が設けられる。把持部４７は心棒４６を中心に自由に回動できるように構成される。図７（Ｂ）は、柄１２の先端が下方に移動したときの可動部４２の回動状態を示す図である。可動部４２は把持部４７部分が常時上を向くように回動する。把持部４７には波形部４８が設けられる。波形部４８は手の指が入るように形成される。もちろん、この波形部４８を設けないようにすることもできる。
【００３２】
図８は、本願発明の第２実施形態の第１実施例の支持部の斜視図および正面である。図８（Ａ）、（Ｂ）において、可動部４２は、垂直部４９および管部４１を取り巻く周回部５０によって構成される。可動部４２は、垂直部４９において固定ネジ４３によって管部４１と回動自在に結合され、固定ネジ４３を中心に回動する。
【００３３】
図９は、本願発明の第２実施形態の第２実施例の支持部の側面図である。図９において、第２実施例の支持部４０は第１実施例の変形例であり、第１実施例の支持部４０と比べて、垂直部４９、周回部５０の形状が異なるのみで他の構造は同じであるので、図９においては図７と同じ番号を使用して、詳細な説明は省略する。
【００３４】
図１０は、本願発明の第２実施形態の第２実施例の支持部の斜視図および正面である。図１０（Ａ）、（Ｂ）は、図９の支持部４０を斜めおよび正面から見た図である。図１０は、図８と比べ、垂直部４９、周回部５０の形状が異なるのみで他の構造は同じであるので、図１０においては図８と同じ番号を使用して、詳細な説明は省略する。
【００３５】
図１１は、第２実施形態の計量スコップで資材を計量する様子を概念的に描いた図である。図１１（Ａ）は、計量スコップの計量部２０を資材山７０に挿入し、計量部２０に資材を入れる様子を示す図である。図１１（Ｂ）は、計量スコップを資材山７０から取り出して、計量部２０を揺すって計量部２０の上にはみ出した資材をふるい落とす様子を示す図である。図１１（Ｃ）は、計量スコップを土嚢袋７１の開口に近づけて資材を土嚢袋７１に入れる様子を示す図である。
【００３６】
図１１（Ａ）に示すように、作業者は、例えば、左手で支持部４０を握り、右手で柄１２の端を矢印Ｙのように上方に持ち上げることによって、計量部２０の部分が矢印Zのように下方に下がるので、計量部２０部分を資材中に挿入し、資材を計量部２０に入れる。その後、図１１（Ｂ）に示すように、例えば、左手で支持部４０を握ったまま、右手で柄１２の端を矢印Ｙのように下方に下げることによって、計量部２０の部分が矢印Zのように上方に上がるので、計量部２０を揺すって計量部２０の上にあふれた資材をふるい落とす。資材がふるい落とされた計量部２０によって一定量の資材を掬うことができる。
【００３７】
次に、図１１（Ｃ）に示すように、作業者は、例えば、左手で支持部４０を握ったまま、右手で柄１２の端を矢印Ｙのように上方に上げることによって、計量スコップ１０ａの計量部２０を、矢印Zのように下方に下げ、土嚢袋７１の開口７２に近づけて資材を土嚢袋７１に入れる。このように、計量スコップ１０ａを用いることによって、資材を計量してから投入しなくても、毎回同じ量の資材が計量部２０に入るので、短時間で常に同じ大きさの土嚢袋７１を作ることができる。
【００３８】
以上述べた実施の形態は本願発明を説明するための一例であり、本願発明は、上記の実施形態に限定されるものではなく、発明の要旨の範囲で種々の変形が可能である。上記の実施形態では、計量部２０の形状は、底板２７の前辺２９の幅が背板２５の幅よりも狭く描かれているが、同じ幅であってもよく、また前辺２９の幅が背板２５の幅よりも広くてもよい。また、計量部２０の側面は三角形状が好ましいが、矩形形状やその他の形状であっても良い。柄１２は計量部２０の背板２５に斜めに形成されることが好ましいが、背板２５に直角でもかまわない。
【産業上の利用可能性】
【００３９】
本願発明は、地盤の補強等に用いられる土嚢袋に袋詰めする資材の一定量を計量できる計量スコップに適用可能である。
【図面の簡単な説明】
【００４０】
【図１】本願発明の第１実施形態の計量スコップの全体構成を示すものである。
【図２】本願発明の第１実施形態の第１実施例の計量部の詳細構成を示す図である。
【図３】本願発明の第１実施形態の第２実施例の計量部の詳細構成を示す図である。
【図４】本願発明の第１実施形態の計量スコップで資材を計量する様子を概念的に描いた図である。
【図５】本願発明の第１実施形態において、計量スコップを用いて資材を土嚢袋に入れる様子を示す図である。
【図６】本願発明の第２実施形態の計量スコップの全体構成を示す図である。
【図７】本願発明の第２実施形態の第１実施例の支持部の側面図である。
【図８】本願発明の第２実施形態の第１実施例の支持部の斜視図および正面である。
【図９】本願発明の第２実施形態の第２実施例の支持部の側面図である。
【図１０】本願発明の第２実施形態の第２実施例の支持部の斜視図および正面である。
【図１１】本願発明の第２実施形態において、計量スコップを用いて資材を土嚢袋に入れる様子を示す図である。
【図１２】第１の従来例の計量スコップを示す図である。
【図１３】第２の従来例の計量スコップを示す図である。
【符号の説明】
【００４１】
１０  計量スコップ
１２  柄
２０  計量部
２１  蓋
２２  孔
２３  開口
２４  側板
２５  背板
２６  孔
２７  底板
２８  溝
２９  前辺
３０  ショベル部
３２  ネジ受け
３１  Ｌ字部
４０  支持部
４１  管部
４２  可動部
４３  固定ネジ
４４  ワッシャ
４５  止めネジ
４６  心棒
４７  把持部
４８  波形部
４９  垂直部
５０  周回部
７０  資材山
７１  土嚢袋
【図１】
2008081954.tif 000003
【図２】
2008081954.tif 000004
【図３】
2008081954.tif 000005
【図４】
2008081954.tif 000006
【図５】
2008081954.tif 000007
【図６】
2008081954.tif 000008
【図７】
2008081954.tif 000009
【図８】
2008081954.tif 000010
【図９】
2008081954.tif 000011
【図１０】
2008081954.tif 000012
【図１１】
2008081954.tif 000013
【図１２】
2008081954.tif 000014
【図１３】
2008081954.tif 000015